【事件の表示】
　特願２０１５−４５３９４号「遊技機」拒絶査定不服審判事件〔平成２８年９月１５日出願公開、特開２０１６−１６５３１７号〕について、次のとおり審決する。
【結　論】
　本件審判の請求は、成り立たない。
【理　由】
１　手続の経緯の概要
　本願は、平成２７年３月９日の出願であって、平成２８年５月６日付けで拒絶の理由が通知され、同年７月１４日に意見書及び手続補正書が提出されたところ、平成２９年１月５日付けで拒絶査定がなされ（発送日：同年１月１０日）、それに対し、同年４月３日に拒絶査定不服審判の請求がなされたものである。
　
２　本願発明
　本願の請求項１に係る発明（以下「本願発明」という。）は、平成２８年７月１４日付け手続補正書により補正された特許請求の範囲の請求項１に記載された次のとおりのものである（Ａ〜Ｆについて、本願発明を分説するため当審で付与した。）。
　
「【請求項１】
Ａ　可動役物を動作させる駆動源により、当該可動役物を動作させて遊技に係る演出を行う可動演出手段と、
Ｂ　遊技の実行制御を行うとともに、所定の保証電圧が停電検出レベルに低下した場合に停電処理を行う制御手段と、を備えた遊技機において、
Ｃ　停電により当該遊技機への電源供給が停止した場合に、前記保証電圧を所定期間に亘って供給可能な停電時供給手段と、
Ｄ　前記保証電圧から前記可動演出手段に供給するための演出用電圧を生成して供給する演出電圧供給手段と、
Ｅ　前記保証電圧から前記制御手段に供給するための制御用電圧を生成して供給する制御電圧供給手段と、を備え、
Ｆ　停電により当該遊技機への電源供給が停止した場合には、前記保証電圧が前記停電検出レベルに低下する前に、前記演出電圧供給手段による前記可動演出手段への前記演出用電圧の供給を停止する一方で、前記保証電圧が前記停電検出レベルに低下した後に、前記制御電圧供給手段による前記制御手段への前記制御用電圧の供給を停止することを特徴とする遊技機。」
　
３　刊行物
　（１）原査定の拒絶理由において提示された、本願の出願前に頒布された刊行物である特開２０１３−１５８５８２号公報（以下「刊行物１」という。）には、図面と共に次の事項が記載されている（下線は当審にて付した。以下同じ。）。
　
　・記載事項
　ア　「【０００１】
　本発明は、遊技を統括的に制御する遊技制御装置と、遊技者に賞価値を付与する制御を行う賞価値付与制御装置と、それらの電源を供給する電源供給装置とを備えた遊技機に関する。」
　
　イ　「【発明が解決しようとする課題】
【０００４】
　しかしながら、前述した相互認証手続は比較的長い時間を要するため、特許文献１に記載された遊技機では、認証を行なっている最中に停電が発生すると、認証が終了するまでは停電発生に係る処理を行うことができず、停電復旧時に正常に停電前の状態に復帰できないという問題があった。
　そこで、本願発明の目的は、各制御装置の間で認証を行い各制御装置の正当性を判定する遊技機において、認証を行なっている最中に停電が発生した場合でも、停電復旧時に正常に停電前の状態に復旧することのできる遊技機を提供することにある。
・・・
【０００６】
　ここで、賞価値とは、遊技者が入賞したことに対して遊技者に与えられる利益をいう。具体的には、例えば遊技球の所定数の払い出しを意味する。
　賞価値付与制御装置は、例えば遊技球の払い出しを制御する払出制御装置である。
　
電源供給装置は、遊技制御装置、賞価値付与制御装置をはじめとする遊技機の各部分（装置、回路など）にＤＣ３２Ｖ、ＤＣ１５Ｖ、ＤＣ１２Ｖ、ＤＣ５Ｖなどを供給する
・・・」
　
　ウ　「【００１２】
　また、透明部材保持枠１５の上部には、
内部にランプ等を内蔵した照明装置（ムービングライト）１６や払出異常報知用のランプ（ＬＥＤ）１７が設けられている
音響（例えば、効果音）を発するスピーカ
や、内部にランプ等を内蔵
する装飾装置１８
が設けられている
　
　エ　「【００２７】
　図３は、本発明を適用した一実施形態の遊技機の制御系統を説明するためのブロック図である。
遊技機１０は遊技制御装置１００を備え
遊技制御装置１００は
ＣＰＵ１０２
を備える
　
ＣＰＵ１０２は、
遊技制御を司る
　
　オ　「【００３２】
　次に、演出制御装置１５０及び払出制御装置２１０について説明する。
【００３３】
　
演出制御装置１５０は、遊技制御装置１００から入力される各種信号に基づいて、エラー報知ＬＥＤ１７、スピーカ
を制御する
ｎｄＣＰＵ４１２からのコマンドやデータに従って表示装置４１への映像表示のための画像処理を行うグラフィックプロセッサとしてのＶＤＰ（Video Display Processor）と、各種のメロディや効果音などをスピーカ１９ａ，１９ｂから再生させるため音の出力を制御する音源ＬＳＩを備えており、遊技制御装置１００の遊技用マイコン（遊技用マイクロコンピュータ）からの制御指令に基づいて表示装置における表示を制御する。
【００３４】
　また、演出制御装置１５０には、遊技制御装置１００から送信されてくるコマンドを受信するインタフェースチップ（コマンドＩ／Ｆ）が設けられている。このコマンドＩ／Ｆを介して、遊技制御装置１００から演出制御装置１５０へ送信された変動開始コマンド、客待ちデモコマンド、ファンファーレコマンド、確率情報コマンド、及びエラー指定コマンド等を、演出制御指令信号として受信する。
遊技制御装置１００の遊技用マイコン１０１はＤＣ５Ｖで動作し、演出制御装置１５０の主制御用マイコン（１ｓｔＣＰＵ）はＤＣ３．３Ｖで動作するため、コマンドＩ／Ｆには信号のレベル変換の機能が設けられている
　
　カ　「【００４０】
　遊技制御装置１００、演出制御装置１５０、及び払出制御装置２１０は、電源装置（電源供給装置）１６０に接続される。
電源装置１６０は
ＤＣ３２Ｖの電圧からＤＣ１２Ｖ，ＤＣ５Ｖなどのより低いレベルの直流電圧を生成するＤＣ−ＤＣコンバータなどを有し、ＤＣ３２Ｖ、ＤＣ１５Ｖ、ＤＣ１２Ｖ、ＤＣ５Ｖの電源を遊技制御装置１００、演出制御装置１５０及び払出制御装置２１０に供給する
バックアップ電源１６１は、停電時において
電源を
演出制御装置１５０には供給しなくてもよい
・・・
【００４２】
　
停電検出回路１６９は、電源装置で生成されたＤＣ３２Ｖの電圧を監視し、所定の電圧
以下に低下することを検出して停電検出信号を変化させて、遊技制御装置１００
に出力する
　
　キ　「【００８３】
　次に、
図７から図１３までの図面を参照しつつ、遊技制御装置１００側の処理
・・・
【００９６】
≪
停電検出
　
停電検出処理
は、電源装置１６０の停電検出回路１６９から入力されている停電検出信号を
読み込んで
読み込んだ信号が
停電が発生しているとの判定を行う
図９のステップＳ４５以降の
電源断処理
・・・
【０１０７】
≪電源断処理（ステップＳ４５からステップＳ５２まで）≫
　また、停電検出信号が発生した場合（ステップＳ４４；Ｙｅｓ）は、一旦割込みを禁止する処理（ステップＳ４５）を行い、発射停止を設定する処理（発射許可信号をＯＦＦにする）を行い（ステップＳ４６）、全出力ポートにＯＦＦデータを出力する処理（ステップＳ４７）を行う。  その後、ステップＳ４４の判定結果に基づいてＲＡＭの停電検査領域に停電発生フラグを立てて、停電復旧検査領域１に停電復旧検査領域チェックデータ１をセーブし（ステップＳ４８）、停電復旧検査領域２に停電復旧検査領域チェックデータ２をセーブする（ステップＳ４９）。さらに、ＲＷＭの
電源遮断時のチェックサムを算出する処理（ステップＳ５０）、チェックサムをセーブする処理（ステップＳ５１）
　ステップＳ４５からステップＳ５２までの一連の処理が、電源供給装置から供給される供給電圧が所定電圧まで低下した場合に、前記電源供給装置から出力される停電検出信号を実行開始条件とし、停電が発生したことを示す停電フラグ（停電確認情報）を前記メモリに保存して電源断まで待機する電源断処理に該当する。」
　
　ク 　「【０１７６】
　［発明３−実施例１］
　次に、図２０から図２３までを参照しつつ、発明３の実施例１について説明する。図２０は、発明３の実施例１を説明するタイムチャート１である。上述したように、
電源装置１６０
は
ＤＣ３２Ｖに基づいて、ＤＣ１５Ｖ
ＤＣ５Ｖ
を生成して
これら数種類のＤＣ電源を遊技制御装置１００、払出制御装置２１０、演出制御装置１５０などに供給している
【０１７７】
　さらに、電源装置１６０には、停電検出回路１６９が備えられており（図３参照）、ＤＣ３２Ｖを監視し、所定の電圧（停電検出電圧）にまで下がったときに停電検出信号（図２０の（ｆ））を発生させて各装置（遊技制御装置１００、払出制御装置２１０、演出制御装置１５０）に送っている。具体的に言うと停電検出信号（図２０の（ｆ））は、停電を検出するまでの間はＯＮの信号であり、ＤＣ３２Ｖ（図２０の（ｂ））が１７．２Ｖ〜１９．５Ｖの停電検出電圧まで降下したとき（時刻ｔ２）に停電を検出しＯＦＦの信号を出力し、その後ＤＣ３２Ｖの電圧が１７．２Ｖ〜１９．５Ｖに回復するまでＯＦＦの信号を出し続ける（図２０の（ｆ））。
ＡＣ２４Ｖ入力において電源断となる時刻ｔ
１
停電検出がされる時刻ｔ
２
【０１７８】
　図２０（ｃ）に示すように、
ＤＣ１５Ｖ電源は、時刻ｔ
２
の近くで降下し始め
ゼロになる
ＤＣ５Ｖの電圧は
それより遅れた時刻ｔ
３
  、時刻ｔ
４
において
降下し始め
ゼロになる（
【０１７９】
　ここで、停電検出とリセットとの関係を電源供給の観点から整理する。
遊技制御装置１００
は
停電発生
の場合、電源断処理（ステップＳ４５−Ｓ５２）を実行して電源が断たれるのを待つ
電源装置１６０は、停電検出回路１６９が停電を検出すると各装置への電源供給をバックアップ電源１６１からの供給へと切り替える
各装置が電源断処理を実行可能な電力を供給することとともに、停電の間、各装置内のＲＡＭに記憶した内容を保持するための電力をも供給可能であるように設計されている
ＲＡＭに必要なデータをバックアップするための電源断処理を完了した後、電源が断たれるのを待つまでの時間も各装置には通電状態を維持したままであるので、ＲＡＭの内容を保持するのに必要な電力にくらべると大きい電力を消費する
　
　・認定事項
　ケ　認定事項１
　刊行物１には、【００１２】の記載から、「内部にランプ等を内蔵した照明装置（ムービングライト）１６、払出異常報知用のランプ（ＬＥＤ）１７、音響（例えば、効果音）を発するスピーカ、内部にランプ等を内蔵した装飾装置１８が設けられている。」ことが記載されている。
　そして、【００１２】に記載された「内部にランプ等を内蔵した照明装置（ムービングライト）１６」、「内部にランプ等を内蔵し」た「装飾装置１８」が、【００３３】に記載された「エラー報知ＬＥＤ１７」、「スピーカ」と同様に、「遊技制御装置１００から入力される各種信号に基づいて」「演出制御装置１５０」により制御されるものであることは、当業者にとって自明である。
　したがって、刊行物１には、「内部にランプ等を内蔵した照明装置（ムービングライト）１６、エラー報知ＬＥＤ１７、内部にランプ等を内蔵した装飾装置１８、スピーカを遊技制御装置１００から入力される各種信号に基づいて制御する演出制御装置１５０」について記載されているものと認められる。
　
　コ　認定事項２
　刊行物１には、【００２７】の記載から、「遊技制御を司るＣＰＵ１０２を有する遊技制御装置１００を備える遊技機１０」について記載されている。
　そして、刊行物１には、【００４２】の記載から、「停電検出回路１６９は、電源装置で生成されたＤＣ３２Ｖの電圧が所定の電圧以下に低下することを検出すると、変化させた停電検出信号を遊技制御装置１００に出力する」ことが記載されている。
　また、刊行物１には、【００８３】、【００９６】の記載から、「遊技制御装置１００が、電源装置１６０の停電検出回路１６９から読み込んだ停電検出信号に基づいて、停電が発生しているか否かの判定を行う」ことが記載されている。
　さらに、刊行物１には、【０１７９】の記載から、「遊技制御装置１００は、停電発生の場合、電源断処理（ステップＳ４５−Ｓ５２）を実行して電源が断たれるのを待つ」ことが記載されている。
　したがって、刊行物１には、
「遊技制御を司るＣＰＵ１０２を有し、
　電源装置１６０の停電検出回路１６９から読み込んだ停電検出信号が、電源装置で生成されたＤＣ３２Ｖの電圧が所定の電圧以下に低下することによる停電発生を示す場合、電源断処理（ステップＳ４５−Ｓ５２）を実行する
　遊技制御装置１００を備えた遊技機１０。」について記載されているものと認められる。
　
　サ　認定事項３
　刊行物１の「電源供給装置は、遊技制御装置、賞価値付与制御装置をはじめとする遊技機の各部分（装置、回路など）にＤＣ３２Ｖ、ＤＣ１５Ｖ、ＤＣ１２Ｖ、ＤＣ５Ｖなどを供給する」（【０００６】）との記載、及び、【０１７６】の「電源装置１６０」は、「数種類のＤＣ電源を遊技制御装置１００、払出制御装置２１０、演出制御装置１５０などに供給している。」との記載から、刊行物１には、「電源装置１６０は、遊技制御装置１００、演出制御装置１５０及び払出制御装置２１０をはじめとする遊技機の各部分（装置、回路など）にＤＣ３２Ｖ、ＤＣ１５Ｖ、ＤＣ１２Ｖ、ＤＣ５Ｖなどを供給する」ことが記載されているといえる。
　そして、認定事項１によると、演出制御装置１５０により「内部にランプ等を内蔵した照明装置（ムービングライト）１６、エラー報知ＬＥＤ１７、内部にランプ等を内蔵した装飾装置１８、スピーカ」の各装置が制御されるのであるから、これら各装置には、演出制御装置１５０を介して、電源装置１６０から電源が供給されていることは明らかである。
　ここで、刊行物１の【００３４】の「遊技制御装置１００の遊技用マイコン１０１はＤＣ５Ｖで動作し、演出制御装置１５０の主制御用マイコン（１ｓｔＣＰＵ）はＤＣ３．３Ｖで動作するため、コマンドＩ／Ｆには信号のレベル変換の機能が設けられている。」との記載を考慮すると、ＤＣ５Ｖや、３．３Ｖは、マイコンに供給される電圧であるといえるから、演出制御装置１５０を介して、各装置には、ＤＣ５Ｖや、３．３Ｖ以外の少なくともＤＣ１５Ｖが供給されているといえる。
　また、【００４０】には、「電源装置１６０は」、「ＤＣ３２Ｖの電圧からＤＣ１２Ｖ，ＤＣ５Ｖなどのより低いレベルの直流電圧を生成するＤＣ−ＤＣコンバータなどを有し、ＤＣ３２Ｖ、ＤＣ１５Ｖ、ＤＣ１２Ｖ、ＤＣ５Ｖの電源を遊技制御装置１００、演出制御装置１５０及び払出制御装置２１０に供給する」ことが記載されている。
　したがって、刊行物１には、
「電源装置１６０は、ＤＣ−ＤＣコンバータにより、
　ＤＣ３２Ｖに基づいて、ＤＣ１５Ｖを生成し、生成されたＤＣ１５ＶのＤＣ電圧を内部にランプ等を内蔵した照明装置（ムービングライト）１６、エラー報知ＬＥＤ１７、内部にランプ等を内蔵した装飾装置１８、スピーカに供給するために、演出制御装置１５０に供給すると共に、
　ＤＣ３２Ｖに基づいて、ＤＣ５Ｖを生成し、生成されたＤＣ５Ｖの電圧を遊技制御装置１００の遊技用マイコン１０１に供給する」ことが記載されているものと認められる。
　
　シ　上記ア〜クの記載事項、上記認定事項ケーサ（認定事項１〜３）から、刊行物１には、次の発明（以下「刊行物発明」という。）が記載されていると認められる（本願発明の構成Ａ〜Ｆに対して、ａ〜ｆと分説する。）。
「ａ　内部にランプ等を内蔵した照明装置（ムービングライト）１６、エラー報知ＬＥＤ１７、内部にランプ等を内蔵した装飾装置１８、スピーカを遊技制御装置１００から入力される各種信号に基づいて制御する演出制御装置１５０（認定事項１）と、
　
ｂ　遊技制御を司るＣＰＵ１０２を有し、
　電源装置１６０の停電検出回路１６９から読み込んだ停電検出信号が、電源装置で生成されたＤＣ３２Ｖの電圧が所定の電圧以下に低下することによる停電発生を示す場合、電源断処理（ステップＳ４５−Ｓ５２）を実行する
　遊技制御装置１００と、を備えた遊技機１０（認定事項２）であって、
　
ｃ　停電検出回路１６９が停電を検出すると、各装置が電源断処理を実行可能な電力を供給することとともに、停電の間、各装置内のＲＡＭに記憶した内容を保持するための電力をも供給可能であるように、各装置への電源供給をバックアップ電源１６１からの供給へと切り替える電源装置１６０（【００４０】、【０１７９】）と、
　
ｄ、ｅ　電源装置１６０は、ＤＣ−ＤＣコンバータにより、
　ＤＣ３２Ｖに基づいて、ＤＣ１５Ｖを生成し、生成されたＤＣ１５ＶのＤＣ電源を内部にランプ等を内蔵した照明装置（ムービングライト）１６、エラー報知ＬＥＤ１７、内部にランプ等を内蔵した装飾装置１８、スピーカに供給するために、演出制御装置１５０に供給すると共に、
　ＤＣ３２Ｖに基づいて、ＤＣ５Ｖを生成し、生成されたＤＣ５Ｖの電源を遊技制御装置１００の遊技用マイコン１０１に供給し（認定事項３）、
　
ｆ　時刻ｔ１においてＡＣ２４Ｖ入力が電源断となった場合、
　ＤＣ１５Ｖ電圧は、停電検出がされる時刻ｔ２の近くで降下し始めゼロになり、
　ＤＣ５Ｖの電圧は、時刻ｔ２より遅れた時刻ｔ４において降下し始めゼロになる（【０１７７】、【０１７８】）遊技機１０。」
　
　（２）原査定の拒絶理由において提示された、本願の出願前に頒布された刊行物である特開２０１５−２４２００号公報（以下「刊行物２」という。）には、図面と共に次の事項が記載されている（下線は当審にて付した。以下同じ。）。
　
　・記載事項
　ア　「【００４８】
　主制御部２１及び払出制御部２４は、電源基板２０から電源異常信号ＡＢＮ１，ＡＢＮ２を受けることによって、停電や営業終了に先立って、必要な終了処理を開始するようになっている。また、
バックアップ電源ＢＡＫは、
停電により交流電源２４Ｖが遮断された後も、主制御部２１と払出制御部２４のワンチップマイコンの内蔵ＲＡＭのデータを保持するＤＣ５Ｖの直流電源である
・・・
【００５２】
　ワンチップマイコン４０には、パラレル入出力ポートＰＩＯが内蔵されている。そして、パラレルポートＰＩＯからは、制御コマンドＣＭＤ’及びストローブ信号ＳＴＢ’と共に、演出可動体ＡＭＵを機能させる駆動データΦ１〜Φ４も出力されている。
演出可動体ＡＭＵは
昇降モータＭＯによって昇降され、
回転モータＭＴによって回転駆動される
　
　イ　「【０１３０】
　図１０は、コマンド解析処理の要部を示すフローチャートである。先ず、新規に受信した制御コマンドが、電断Ｂコマンドであるか否かを判定する（ＳＴ８０）。先に説明した通り、主制御部２１は、電断Ａコマンドと電断Ｂコマンドをこの順番で連続的に送信するので、演出制御部２２が、電断Ｂコマンドを受けた場合には、先行して電断Ａコマンドを受けている筈である。
・・・
【０１３４】
　次に、
全てのランプを消灯状態とすると共に、回転モータＭＴや昇降モータＭＯの動作を停止する（ＳＴ８４）
【０１３５】
　また、本実施例では、
ランプやモータについて最初に停止制御を実行するので、電源電圧の降下速度を抑制して、以降の処理を確実に完結させることができる
【０１３６】
　続いて、チャンスボタン１１の操作を無効化すると共に、音声演出を停止して無音状態にして、電源電圧降下時に遊技機が異常動作しないよう図っている（ＳＴ８５）。次に、ステップＳＴ５１の処理と同様に、ＲＡＭクリア処理を実行した上で（ＳＴ８６）、サブルーチン処理（ＳＴ５８）を終える。その結果、その後は、演出動作を中止した状態で、ステップＳＴ５４〜ＳＴ６３の定時処理を実行しつつ直流電源が遮断されるのを待つ。
【０１３７】
　主制御部２１が電断コマンドを送信したにも拘らず、演出制御部２２の直流電源が遮断されないことは、通常では、考えられない。しかし、(1) 
交流電源が遮断されると
比較的大容量のコンデンサによって直流電源の電圧値が維持され、しかも、電力消費量が大きい処理が直ちに停止状態となる
　
　ウ　上記ア〜イの記載事項から、刊行物２には、次の技術事項（以下「刊行物２に記載された技術事項」という。）が記載されていると認められる。
　「昇降モータＭＯによって昇降され、回転モータＭＴによって回転駆動される演出可動体ＡＭＵ（【００５２】）を備え、
　交流電源の遮断が検知されると直ちに、比較的大容量のコンデンサによって直流電源の電圧値を維持すると共に、全てのランプを消灯状態とすると共に、回転モータＭＴや昇降モータＭＯの動作を停止する（ＳＴ８４）ことにより、電力消費量が大きい処理を直ちに停止状態とし（【０１３７】、【０１３４】）、
　これによって、電源電圧の降下速度を抑制して、以降の処理を確実に完結させることができる遊技機。」
　
４　対比
　本願発明（Ａ〜Ｆ）と刊行物発明（ａ〜ｆ）とを（ａ）〜（ｆ）において対比する。
　（ａ）刊行物発明における「内部にランプ等を内蔵した照明装置（ムービングライト）１６、エラー報知ＬＥＤ１７、内部にランプ等を内蔵した装飾装置１８、スピーカ」は、遊技に係る演出を行う装置であるから、本願発明の「可動役物」とは、「演出を行う装置」である点で共通する。
　そうすると、刊行物発明における「内部にランプ等を内蔵した照明装置（ムービングライト）１６、エラー報知ＬＥＤ１７、内部にランプ等を内蔵した装飾装置１８、スピーカを遊技制御装置１００から入力される各種信号に基づいて制御する」ことと、本願発明における「可動役物を動作させる駆動源により、当該可動役物を動作させて遊技に係る演出を行う」こととは、「演出を行う装置を制御して遊技に係る演出を行う」ことで共通する。
　したがって、刊行物発明における構成ａと、本願発明における構成Ａとは、「遊技に係る演出を行う演出手段」である点で共通する。
　
　（ｂ）刊行物発明における「遊技制御を司る」ことは、本願発明における「遊技の実行制御を行う」ことに相当する。
　そして、刊行物発明における「電源装置で生成されたＤＣ３２Ｖの電圧」は、本願発明における「保証電圧」に相当することから、刊行物発明における「電源装置１６０の停電検出回路１６９から読み込んだ停電検出信号が、電源装置で生成されたＤＣ３２Ｖの電圧が所定の電圧以下に低下することによる停電発生を示す場合」は、本願発明における「所定の保証電圧が停電検出レベルに低下した場合」に相当する。
　また、刊行物発明における「電源断処理（ステップＳ４５−Ｓ５２）」は、【０１０７】に記載されているように、チェックサムの算出及び記憶を含む停電に伴う一連の処理であって、本願発明における「停電処理」に相当する。
　したがって、刊行物発明の構成ｂは、本願発明における構成Ｂに相当する。
　
　（ｃ）刊行物発明における「停電検出回路１６９が停電を検出する」ことと、本願発明における「停電により当該遊技機への電源供給が停止した場合」とは、「停電に伴う」ことで共通する。
　刊行物発明における「停電の間」は、本願発明における「所定期間に亘って」に相当する。
　そして、刊行物発明における「各装置への電源供給をバックアップ電源１６１からの供給へと切り替える」ことは、本願発明における「保証電圧を」「供給可能な」ことに相当する。
　そして、刊行物発明の「電源装置１６０」は、「バックアップ電源１６１」を備えるものである。
　したがって、刊行物発明の構成ｃと本願発明の構成Ｃとは、「停電に伴い保証電圧を所定期間に亘って供給可能な停電時供給手段」である点で共通する。
　
　（ｄ）刊行物発明における構成ｄ、ｅの「ＤＣ３２Ｖに基づいて、ＤＣ１５Ｖを生成し、生成されたＤＣ１５ＶのＤＣ電源を」「供給する」ことは、演出を行う各装置（照明装置１６、エラー報知ＬＥＤ１７、装飾装置１８、スピーカ）に対する電源をそれぞれ供給することであるから、本願発明における構成Ｄの「演出用電圧を生成して供給する」ことに相当する。
　したがって、刊行物発明における「ＤＣ３２Ｖに基づいて、ＤＣ１５Ｖを生成し、生成されたＤＣ１５ＶのＤＣ電源を内部にランプ等を内蔵した照明装置（ムービングライト）１６、エラー報知ＬＥＤ１７、内部にランプ等を内蔵した装飾装置１８、スピーカに供給する」「電源装置１６０」の「ＤＣ−ＤＣコンバータ」と、本願発明における「保証電圧から可動演出手段に供給するための演出用電圧を生成して供給する演出電圧供給手段」とは、「保証電圧から演出手段に供給するための演出用電圧を生成して供給する演出電圧供給手段」である点で共通する。
　
　（ｅ）刊行物発明における構成ｄ、ｅの「ＤＣ３２Ｖに基づいて、ＤＣ５Ｖを生成し、生成されたＤＣ５Ｖの電源を遊技制御装置１００の遊技用マイコン１０１に供給」する「電源装置１６０」の「ＤＣ−ＤＣコンバータ」は、本願発明における構成Ｅの「保証電圧から制御手段に供給するための制御用電圧を生成して供給する制御電圧供給手段」に相当する。
　
　（ｆ）刊行物発明における「時刻ｔ１においてＡＣ２４Ｖ入力が電源断となった場合」は、本願発明における「停電により当該遊技機への電源供給が停止した場合」に相当する。
　そして、刊行物発明における「時刻ｔ２」は、「停電検出がされる」ときであり、構成ｂによると、「ＤＣ３２Ｖの電圧が所定の電圧以下に低下する」ときであるから、本願発明における「保証電圧が前記停電検出レベルに低下した」ときである。そうすると、刊行物発明における「時刻ｔ４」は、「時刻ｔ２より遅れた」ときであるから、「保証電圧が前記停電検出レベルに低下した」ときより「後」といえる。
　したがって刊行物発明における「ＤＣ５Ｖの電圧は、時刻ｔ２より遅れた時刻ｔ４において降下し始めゼロになる」ことは、本願発明における「保証電圧が停電検出レベルに低下した後に、制御電圧供給手段による制御手段への制御用電圧の供給を停止する」ことに相当する。
　
　そして、刊行物発明において「ＤＣ１５Ｖ電圧」が「降下し始めゼロにな」るのは、「時刻ｔ２の近く」であって、時刻ｔ４よりも前である。
　したがって、刊行物発明における「ＤＣ１５Ｖ電圧は、停電検出がされる時刻ｔ２の近くで降下し始めゼロに」なることと、本願発明における「保証電圧が停電検出レベルに低下する前に、演出電圧供給手段による可動演出手段への演出用電圧の供給を停止する」こととは、「制御手段への制御用電圧の供給を停止する前に、演出電圧供給手段による演出手段への演出用電圧の供給を停止する」ことで共通する
　
　よって、刊行物発明における構成ｆと、本願発明における構成Ｆとは、「停電により当該遊技機への電源供給が停止した場合には、制御手段への制御用電圧の供給を停止する前に、演出電圧供給手段による演出手段への演出用電圧の供給を停止する一方で、保証電圧が前記停電検出レベルに低下した後に、制御電圧供給手段による制御手段への制御用電圧の供給を停止する」ことで共通する。
　
　上記（ａ）〜（ｆ）の対比より、本願発明と刊行物発明とは、
　「Ａ’遊技に係る演出を行う演出手段と、
Ｂ　遊技の実行制御を行うとともに、所定の保証電圧が停電検出レベルに低下した場合に停電処理を行う制御手段と、を備えた遊技機において、
Ｃ’停電に伴い前記保証電圧を所定期間に亘って供給可能な停電時供給手段と、
Ｄ’前記保証電圧から前記演出手段に供給するための演出用電圧を生成して供給する演出電圧供給手段と、
Ｅ　前記保証電圧から前記制御手段に供給するための制御用電圧を生成して供給する制御電圧供給手段と、を備え、
Ｆ’停電により当該遊技機への電源供給が停止した場合には、前記制御手段への前記制御用電圧の供給を停止する前に、前記演出電圧供給手段による前記演出手段への前記演出用電圧の供給を停止する一方で、前記保証電圧が前記停電検出レベルに低下した後に、前記制御電圧供給手段による前記制御手段への前記制御用電圧の供給を停止する遊技機。」
　の点で一致し、以下の点で相違する。
　
　［相違点１］
　遊技に係る演出を行う演出手段に関して、
　本願発明は、可動役物を動作させる駆動源により、当該可動役物を動作させる可動演出手段を備えるのに対して、
　刊行物発明の「演出制御装置１５０」は、照明装置（ムービングライト）１６、エラー報知ＬＥＤ１７、装飾装置１８、スピーカを制御するが、可動役物を動作させるか否か不明である点。
　
　［相違点２］
　停電時供給手段により電圧を供給するタイミングに関して、
　本願発明は、停電により当該遊技機への電源供給が停止した場合であるのに対して、
　刊行物発明は、停電検出回路１６９が停電を検出したタイミングであって、電源供給が停止した場合でない点。
　
　［相違点３］
　演出用電圧の供給を停止するタイミングが、
　本願発明は、保証電圧が停電検出レベルに低下する前であるのに対して、
　刊行物発明は、保証電圧が停電検出レベルに低下する近くで降下し始めゼロになるが、保証電圧が降下し始めゼロになるタイミングが停電検出レベルに低下する前であるか否か不明な点。
　
５　当審の判断
　（１）相違点１〜３について
　相違点１〜３は、可動役物への停電時における電圧制御に関する構成である点で関連するので、まとめて検討する。
　
　刊行物１の「ＲＡＭに必要なデータをバックアップするための電源断処理を完了した後、電源が断たれるのを待つまでの時間も各装置には通電状態を維持したままであるので、ＲＡＭの内容を保持するのに必要な電力にくらべると大きい電力を消費する」（【０１７９】）との記載から、刊行物１には、各装置（照明装置（ムービングライト）１６、エラー報知ＬＥＤ１７、装飾装置１８、スピーカ）が、ＲＡＭの内容を保持するのに必要な電力にくらべると大きな電力を消費するものであることが示唆されている。
　また、刊行物１の「バックアップ電源１６１は、停電時において・・・電源を・・・演出制御装置１５０には供給しなくてもよい」（【００４０】）との記載から、刊行物１には、停電時に各装置のうち、演出制御装置１５０を介して電源が供給される演出用の装置（照明装置（ムービングライト）１６、エラー報知ＬＥＤ１７、装飾装置１８、スピーカ）への電源供給を停止可能とすることが示唆されている。
　これらの記載から、刊行物１には、先に、消費電力の大きな演出用の各装置への電力供給を停止可能とすることが示唆されている。
　一方、刊行物２に記載された技術事項は、交流電源が遮断され停電発生直後に「ランプやモータについて」「直ちに停止状態と」することにより「電源電圧の降下速度を抑制して、以降の処理を確実に完結させることができる」という作用効果を奏するものである。
　このように、刊行物発明と刊行物２に記載された技術事項とは、停電発生直後に演出手段への演出用電圧の供給を停止するという共通の作用効果を奏するものであることからみて、刊行物発明に刊行物２に記載された技術事項を適用する動機付けは十分にある。
　
　ここで、刊行物２に記載された技術事項における
　「演出可動体ＡＭＵ」、
　「昇降モータＭＯ」及び「回転モータＭＴ」、
　「交流電源の遮断が検知されると直ちに」、
　「比較的大容量のコンデンサによって直流電源の電圧値が維持される」ことは、それぞれ、本願発明における
　「可動役物」、
　「可動役物を動作させる駆動源」、
　「停電により当該遊技機への電源供給が停止した場合」、
　「保証電圧を所定期間に亘って供給可能な」ことに対応する。
　
　これらのことからみて、刊行物発明に刊行物２に記載された演出可動体ＡＭＵを適用して、演出手段として、各装置（照明装置（ムービングライト）１６、エラー報知ＬＥＤ１７、装飾装置１８、スピーカ）に加えて、可動役物を採用し、駆動源により可動役物を動作させて遊技に係る演出を行うと共に、
　刊行物２に記載された「交流電源の遮断が検知されると直ちに、比較的大容量のコンデンサによって直流電源の電圧値を維持する」という技術事項を適用して、停電により遊技機への電源供給が停止された場合に、停電時供給手段から保証電圧を所定期間に亘って供給可能とし、
　さらに、演出用電圧の供給を停止するタイミングを刊行物２に記載された技術事項のように、交流電源の遮断が検知されると直ちに、すなわち、停電により電源供給が停止された直後であって、保証電圧が停電検出レベルに低下する前とし、
　上記相違点１〜３に係る本願発明の構成を備えることは当業者が容易になし得たものである。
　
（２）請求人の主張について
　請求人は、平成２９年４月３日付けの審判請求書において、次の主張をしている。
「引用文献１にも引用文献２（「引用文献１、２」は、本審決における「刊行物１、２」に対応する。）にも、「停電処理」と「可動演出手段への電圧供給を停止する処理」とを異なるタイミングで行うことについての記載や示唆がありません。」（第５頁第９〜１１行）
　
　請求人の上記主張において、引用文献１も引用文献２も、「停電処理」と「可動演出手段への電圧供給を停止する処理」とが同じタイミングであるかの如く主張するので、この点について検討する。
　刊行物発明において、「ＤＣ１５Ｖ電圧は、停電検出がされる時刻ｔ２の近くで降下し始めゼロに」なるのであって、ＤＣ１５Ｖ電圧が降下し始めゼロになるのは、時刻ｔ２と同じタイミングではない。
　そして、刊行物１の図１（ｂ）におけるＤＣ３２Ｖが停電検出電圧となるタイミングの前に、（ｃ）におけるＤＣ１５Ｖ電圧が降下し始め、（ｂ）におけるＤＣ３２Ｖが停電検出電圧となるタイミングの後に、（ｃ）におけるＤＣ１５Ｖ電圧がゼロになることが図示されている。
  このように、刊行物１には、ＤＣ３２Ｖが停電検出電圧となるタイミングと、ＤＣ１５Ｖ電圧は降下し始めゼロになるタイミングとが同じタイミングであることは図示されていないのであって、むしろ、両者は異なるタイミングであることが示唆されているといえる。
　
　また、上記（１）において検討したように、刊行物発明に刊行物２に記載された技術事項を適用して、演出用電圧の供給を停止するタイミングを、保証電圧が停電検出レベルに低下する前である電源供給が停止した直後とすることは、当業者が容易になし得たものである。
　
　さらに、遊技機の技術分野において、「停電処理」と「可動演出手段への電圧供給を停止する処理」とを異なるタイミングで行うことは、本願出願前に周知の技術事項である（例えば、特開２００１−２１８９４８号公報の【図１０】や、特開２００２−１２６３０４号公報の【図８】に示された賞球ソレノイド駆動停止のタイミングと、バックアップデータ退避・保護のタイミングとを異ならせた点を参照のこと。）。
　
　これらのことからみて、請求人の上記主張を採用することはできない。
　
（３）効果について
　本願発明により奏される効果は、当業者が、刊行物発明及び刊行物２に記載された技術事項から予測し得る効果の範囲内のものであって、格別のものではない。
　したがって、上記（１）、（２）において検討したように、本願発明は、刊行物発明、刊行物２に記載された技術事項に基づいて、当業者が容易に発明をすることができたものである。
　
６　むすび
　以上のとおりであるから、本願発明は、特許法第２９条第２項の規定により特許を受けることができない。
　したがって、本願は、拒絶されるべきものである。
　
　よって、結論のとおり審決する。